(57)【要約】  追記型記録媒体は、記録媒体の中の複数の一時的欠陥管理領域であるＴＤＭＡを管理するためのデータ構造を有する。各ＴＤＭＡは、少なくとも一時的欠陥管理情報を格納する。一実施形態において、記録媒体は、複数のＴＤＭＡの中のどのＴＤＭＡが現在使用中であるかを示すデータを選択的に格納するためのＴＤＭＡアクセスインジケータであるＴＡＩ領域を含む。
2008502093.tif 000002
【特許請求の範囲】
【請求項１】
少なくとも一時的欠陥管理情報を格納する、記録媒体の複数の一時的欠陥管理領域（ＴＤＭＡ）を管理するデータ構造を有する追記型記録媒体であって、
前記複数のＴＤＭＡのうちでどのＴＤＭＡが現在使用中であるかを示すデータを選択的に格納するＴＤＭＡアクセスインジケータ（ＴＡＩ）領域を備えることを特徴とする記録媒体。
【請求項２】
前記ＴＡＩ領域は、ＴＤＭＡと関連付けられた少なくとも１つの部分を含み、前記関連付けられたＴＤＭＡが使用されたか否かを示すデータを選択的に格納することを特徴とする請求項１に記載の記録媒体。
【請求項３】
一時的欠陥管理情報を格納するＴＤＭＡ０乃至ＴＤＭＡｎをさらに備え、
前記ＴＡＩ領域は、ＴＤＭＡ１乃至ＴＤＭＡｎのそれぞれ１つに対応するサブ領域を含み、
前記各サブ領域は、対応するＴＤＭＡが使用されたかどうかを示すデータを含むことを特徴とする請求項１に記載の記録媒体。
【請求項４】
最も大きい番号をつけられたＴＤＭＡに対応するデータを含む前記サブ領域は、前記最も大きい番号をつけられたＴＤＭＡが現在使用中のＴＤＭＡであることを示すことを特徴とする請求項３に記載の記録媒体。
【請求項５】
前記ＴＤＭＡが使用された場合、前記対応するサブ領域は、前記ＴＤＭＡに記録された最初の一時的ディスク定義構造（ＴＤＤＳ）を含み、
前記ＴＤＤＳは、前記ＴＤＭＡ内の情報に対する少なくとも１つのポインタを含むことを特徴とする請求項４に記載の記録媒体。
【請求項６】
前記ＴＤＭＡが使用された場合、前記対応するサブ領域は、前記ＴＤＭＡに記録された最初の一時的ディスク定義構造（ＴＤＤＳ）の複数の複写物を含み、
前記ＴＤＤＳは、前記ＴＤＭＡ内の情報に対する少なくとも１つのポインタを含むことを特徴とする請求項４に記載の記録媒体。
【請求項７】
最も大きい番号をつけられたＴＤＭＡに対応するデータを含む前記サブ領域は、前記最も大きい番号をつけられたＴＤＭＡよりも小さい番号をつけられたＴＤＭＡが完全に使用されてしまったことをさらに示すことを特徴とする請求項４に記載の記録媒体。
【請求項８】
より大きい番号をつけられたＴＤＭＡに対応する前記サブ領域は、より小さい番号をつけられたＴＤＭＡに対応するサブ領域よりも小さいアドレスを持つことを特徴とする請求項３に記載の記録媒体。
【請求項９】
前記サブ領域はクラスタであることを特徴とする請求項３に記載の記録媒体。
【請求項１０】
前記ＴＤＭＡが使用された場合、対応するクラスタは、前記ＴＤＭＡに記録された最初の一時的ディスク定義構造（ＴＤＤＳ）を格納する最初のセクタを有し、
前記ＴＤＤＳは、前記ＴＤＭＡ内の情報に対する少なくとも１つのポインタを含むことを特徴とする請求項９に記載の記録媒体。
【請求項１１】
前記ＴＤＭＡが使用された場合、対応するクラスタの各セクタは、前記ＴＤＭＡに記録された最初の一時的ディスク定義構造（ＴＤＤＳ）を含むことを特徴とする請求項１０に記載の記録媒体。
【請求項１２】
前記サブ領域はＴＤＭＡ０内のクラスタであることを特徴とする請求項３に記載の記録媒体。
【請求項１３】
ＴＤＭＡｎ乃至ＴＤＭＡ１に対応するサブ領域は、ＴＤＭＡ０内の２番目〜（ｎ＋１）番目のクラスタであることを特徴とする請求項１２に記載の記録媒体。
【請求項１４】
前記ＴＡＩ領域は、ＴＤＭＡ０内の１番目のクラスタを含み、
前記１番目のクラスタは、前記記録媒体がクローズされたか否かを示すことを特徴とする請求項１３に記載の記録媒体。
【請求項１５】
前記１番目のクラスタがデータを含む場合、前記１番目のクラスタは、前記記録媒体がクローズされていることを示すことを特徴とする請求項１４に記載の記録媒体。
【請求項１６】
前記記録媒体がクローズされた場合、前記１番目のクラスタは、欠陥管理領域（ＤＭＡ）内に記録された欠陥データ構造（ＤＤＳ）を含み、
前記ＤＤＳは、前記ＤＭＡ内の情報に対する少なくとも１つのポインタを含むことを特徴とする請求項１５に記載の記録媒体。
【請求項１７】
前記記録媒体がクローズされた場合、前記１番目のクラスタの１番目のセクタは、欠陥管理領域（ＤＭＡ）内に記録された欠陥データ構造（ＤＤＳ）を含むことを特徴とする請求項１６に記載の記録媒体。
【請求項１８】
前記記録媒体がクローズされた場合、前記１番目のクラスタの各セクタは、欠陥管理領域（ＤＭＡ）内に記録された欠陥データ構造（ＤＤＳ）を含むことを特徴とする請求項１７に記載の記録媒体。
【請求項１９】
前記ＴＡＩ領域は、複数のＴＤＭＡのうちでどのＴＤＭＡが完全に使用されているかを示すことを特徴とする請求項１に記載の記録媒体。
【請求項２０】
前記ＴＡＩ領域は、前記記録媒体がクローズされているか否かを示すことを特徴とする請求項１９に記載の記録媒体。
【請求項２１】
前記ＴＡＩ領域は、前記記録媒体がクローズされているか否かを示すことを特徴とする請求項１に記載の記録媒体。
【請求項２２】
記録媒体の複数の一時的欠陥管理領域（ＴＤＭＡ）を管理するデータ構造を有する追記型記録媒体であって、
管理情報を格納するＴＤＭＡ０乃至ＴＤＭＡｎと、
前記ＴＤＭＡ０内に、ＴＤＭＡｎ〜ＴＤＭＡ１に対応する２番目乃至（ｎ＋１）番目のクラスタを含むＴＤＭＡアクセスインジケータ（ＴＡＩ）領域と
を備え、
前記ＴＤＭＡｎ〜ＴＤＭＡ１のいずれか１つが使用されると、前記対応する２番目〜（ｎ＋１）番目のクラスタの各セクタは、前記ＴＤＭＡｎ〜ＴＤＭＡ１の対応するいずれか１つに記録されている１番目の一時的ディスク定義構造（ＴＤＤＳ）を含み、
前記ＴＤＤＳは、ＴＤＭＡｎ〜ＴＤＭＡ１の対応するいずれか１つの情報に対する少なくとも１つのポインタを含むことを特徴とする記録媒体。
【請求項２３】
一時的欠陥管理情報を少なくとも格納する、記録媒体内の複数の一時的欠陥管理領域（ＴＤＭＡ）を管理するデータ構造を記録する方法であって、
前記複数のＴＤＭＡのうちでどのＴＤＭＡが現在使用中であるかを示す情報を、前記記録媒体内のＴＤＭＡアクセスインジケータ（ＴＡＩ）領域内に選択的に記録するステップを備えることを特徴とする記録方法。
【請求項２４】
一時的欠陥管理情報を少なくとも格納する、現在使用中の記録媒体の一時的欠陥管理領域（ＴＤＭＡ）を決定する方法であって、
前記記録媒体のＴＤＭＡアクセスインジケータ（ＴＡＩ）領域をアクセスするステップと、
前記アクセスするステップに基づいて、現在使用中のＴＤＭＡを決定するステップと
備えることを特徴とする方法。
【請求項２５】
一時的欠陥管理情報を少なくとも格納する、記録媒体内の複数の一時的欠陥管理領域（ＴＤＭＡ）を管理するデータ構造を記録する装置であって、
前記記録媒体にデータを記録する光記録装置を駆動するドライバと、
前記複数のＴＤＭＡのうちでどのＴＤＭＡが現在使用中であるかを示す情報をＴＤＭＡアクセスインジケータ（ＴＡＩ）領域内に選択的に記録する前記ドライバを制御する制御部と
を備えたことを特徴とする装置。
【請求項２６】
一時的欠陥管理情報を少なくとも格納する、現在使用中の記録媒体の一時的欠陥管理領域（ＴＤＭＡ）を決定する装置であって、
前記記録媒体からデータを再生する光記録装置を駆動するドライバと、
前記記録媒体のＴＤＭＡアクセスインジケータ（ＴＡＩ）領域をアクセスするドライバを制御し、前記アクセスに基づいて現在使用中のＴＤＭＡを決定する制御部と
を備えたことを特徴とする装置。
【発明の詳細な説明】
【技術分野】
【０００１】
本発明は、追記型（write-once）記録媒体に関し、より詳細には、追記型記録媒体上に管理情報を記録する方法および装置、並びに記録媒体に関する。
【背景技術】
【０００２】
光ディスクは、大容量のデータを記録するために光記録媒体として広く使用されている。最近、ブルーレイディスク（ＢＤ）は、高精細度のビデオデータおよび高音質のオーディオデータを記録するための高密度デジタルビデオディスク（ＨＤ−ＤＶＤ）として紹介されている。
【０００３】
ＢＤは、次世代のＨＤ−ＤＶＤとして、および従来のＤＶＤよりも多くのデータを格納する次世代光記録媒体として注目をあびている。
【０００４】
その結果、書換可能なブルーレイディスク（ＢＤ−ＲＥ）および追記型ブルーレイディスク（ＢＤ−ＷＯ）を含むＢＤの様々な仕様は規格化されている。
【０００５】
図１は、従来技術に係る書換可能なブルーレイディスク（ＢＤ−ＲＥ）の記録領域の構造を示す図である。特に、図１は、シングルレイヤを有するディスクの記録領域の構造を示す。書換可能なブルーレイディスク（ＢＤ−ＲＥ）は、ブルーレイディスクの内周からリードイン領域、データ領域、およびリードアウト領域に分けられる。さらに、このデータ領域は、ＩＳＡ（inner spare area）、ユーザデータ領域（user data area）およびＯＳＡ（outer spare area）に分けられる。データ領域内の欠陥領域を置き換えるために、ＩＳＡはデータ領域の内周付近に割り当てられ、ＯＳＡはデータ領域の外周付近に割り当てられる。ユーザデータはユーザデータ領域内に記録される。
【０００６】
このような構造を持つＢＤ−ＲＥにデータを記録する間に、ＢＤ−ＲＥの表面は多様な要因により損傷または汚染される場合がある。その結果として、欠陥領域（defect area）が生成される。欠陥領域がデータ記録中に生成される場合には、当該欠陥領域に記録されたデータは、ＩＳＡおよびＯＳＡなどのスペア領域に移される。
【０００７】
スペア領域にデータを移す際には、欠陥領域の管理情報は、リードイン領域またはリードアウト領域の欠陥管理領域（ＤＭＡ：Defect Management Area）に記録される。欠陥管理領域は、図１にＤＭＡ１〜ＤＭＡ４として示される。欠陥領域の管理情報は、欠陥領域の位置情報と、欠陥領域のデータが記録されるスペア領域の位置情報とを含む。
【０００８】
ＢＤの最小記録単位はクラスタである。１つのクラスタは３２個のセクタを含み、１つのセクタは２０４８バイトを含む。
【０００９】
ＢＤ−ＲＥでは、データはどの位置においても書換え可能であるため、記録方法を考慮することなくランダムな位置にデータを記録できる。管理情報もＤＭＡ内において書換え可能である。したがって、欠陥領域は、ＤＭＡ内の管理情報をアップデートする方法を使用することによって小さいサイズのＤＭＡで十分に管理可能である。すなわち、３２個のクラスタは一般的に、ＢＤ−ＲＥの各ＤＭＡに割り当てられる。
【発明の開示】
【発明が解決しようとする課題】
【００１０】
追記型ディスクの場合には、追記型ディスクの記録領域に１回だけデータを記録できる。その結果、データを記録することは、記録方法によって制限される。したがって、追記型ブルーレイディスク（ＢＤ−ＷＯ）などの高密度追記型ディスクでは、欠陥管理は重要な要因になる。
【００１１】
追記型ディスクにおいては、欠陥管理情報およびディスク使用状態情報を記録するための欠陥管理領域が要求される。追記型ディスクの欠陥管理方法は、追記型の特性のため、書換可能なディスクに比べてより複雑になる。しかしながら、追記型ディスクの前述した要件をサポートする統一した規格が完全に規格化されていないため、効率的な管理方法は大きな需要がある。
【課題を解決するための手段】
【００１２】
本発明は、追記型記録媒体を管理するためのデータ構造を持つ記録媒体に関する。
【００１３】
一実施形態において、追記型記録媒体は、記録媒体の中に複数の一時的欠陥管理領域（ＴＤＭＡ）を管理するデータ構造を有し、各ＴＤＭＡは、少なくとも一時的欠陥管理領域を格納することを対象にする。本実施形態において、記録媒体は、複数のＴＤＭＡのうちのどのＴＤＭＡが現在使用中であるかを示すデータを選択的に格納するためのＴＤＭＡアクセスインジケータ（ＴＡＩ：ＴＤＭＡ access indicator）領域を含む。
【００１４】
一実施形態において、記録媒体は、一時的欠陥管理情報を格納するためのＴＤＭＡ０〜ＴＤＭＡｎを含む。ＴＡＩ領域は、各々ＴＤＭＡ０〜ＴＤＭＡｎのいずれか一つにそれぞれ対応するサブ領域を含む。各サブ領域は、対応するＴＤＭＡが使用されたかどうかについてのデータを含む。
【００１５】
最も大きい番号をつけられたＴＤＭＡに対応するデータを含むサブ領域は、最も大きい番号をつけられたＴＤＭＡが現在使用中のＴＤＭＡであることを示す。例えば、ＴＤＭＡが使用された場合、対応するサブ領域は、ＴＤＭＡに記録された１番目の一時的ディスク定義構造（ＴＤＤＳ）を含む。ＴＤＤＳは、ＴＤＭＡ内の情報に対する少なくとも１つのポインタを含む。他の例として、ＴＤＭＡが使用された場合、対応するサブ領域は、ＴＤＭＡに記録された１番目の一時的ディスク定義構造（ＴＤＤＳ）の複数の複製物を含む。
【００１６】
また、一実施形態において、最も大きい番号をつけられたＴＤＭＡに対応するデータを含むサブ領域は、最も大きい番号をつけられたＴＤＭＡよりも小さい番号をつけられたＴＤＭＡが完全に使用されてしまったことを示す。一実施形態において、サブ領域はクラスタである。したがって、ＴＤＭＡが使用されてしまった場合、対応するクラスタはＴＤＭＡに記録された１番目の一時的ディスク定義構造（ＴＤＤＳ）を格納する１番目のセクタを含む場合がある。または、ＴＤＭＡが使用されてしまった場合、対応するクラスタの各セクタは、ＴＤＭＡに記録された１番目の一時的ディスク定義構造（ＴＤＤＳ）を含む。
【００１７】
一実施形態において、このクラスタはＴＤＭＡ０のクラスタである。例えば、前記ＴＤＭＡｎ〜ＴＤＭＡ１に対応するクラスタは、ＴＤＭＡ０内の２番目〜（ｎ＋１）番目のクラスタになり得る。
【００１８】
他の実施形態において、ＴＡＩ領域はまた、ＴＤＭＡ０の１番目のクラスタを含み、この１番目のクラスタは、記録媒体がクローズされているか否かを示す。例えば、１番目のクラスタがデータを含む場合、この１番目のクラスタは、記録媒体がクローズされていることを示す。一実施形態において、記録媒体がクローズされると、１番目のクラスタの１番目のセクタは、欠陥管理領域（ＤＭＡ）内に記録された欠陥データ構造（ＤＤＳ）を含む。他の実施形態において、記録媒体がクローズされると、１番目のクラスタの各セクタは、欠陥管理領域（ＤＭＡ）内に記録された欠陥データ構造（ＤＤＳ）を含む。
【００１９】
他の実施形態において、ＴＡＩ領域は、複数のＴＤＭＡのうちどのＴＤＭＡが完全に使用されているかを示す。さらに他の実施形態において、ＴＡＩ領域は、記録媒体がクローズされているか否かを示す。
【００２０】
本発明は、本発明に係る記録および再生のための装置および方法をさらに提供する。
【発明を実施するための最良の形態】
【００２１】
以下、添付図面に説明されている、本発明の例示的な実施形態についての言及を詳細に行う。可能な限り、同じ参照番号は、図面を通して同一または類似な部分を示すために使用される。
【００２２】
図２Ａおよび図２Ｂは、本発明の一実施形態に係る追記型光ディスクの構造および管理情報を記録する方法を説明する図である。図２Ａは１つの記録層を持つシングルレイヤディスクを示し、図２Ｂは２つの記録層を持つデュアルレイヤディスクを示す。
【００２３】
図２Ａの１つの記録層を持つシングレイヤディスクは、ブルーレイディスクの内周からリードイン領域、データ領域、およびリードアウト領域に分けられる。さらに、データ領域は、ＩＳＡ、ユーザデータ領域、およびＯＳＡに分けられる。データ領域内の欠陥領域を置き換えるために、ＩＳＡはデータ領域の内周付近に割り当てられ、ＯＳＡはデータ領域の外周付近に割り当てられる。ユーザデータはユーザデータ領域内に記録される。
【００２４】
書換可能な光ディスクとは対照的に、追記型光ディスクは、その特性上、複数のディスク管理領域（ＤＭＡ）に加えて、複数の一時的ディスク管理領域（ＴＤＭＡ）を含む。
【００２５】
図１のＤＭＡは、欠陥領域管理のために使用されるが、図２Ａおよび図２ＢのＤＭＡは、ＢＤ−ＷＯ(追記型ブルーレイディスク)においてディスクがクローズされる時に最終の管理情報を記録するために使用される。最終の管理情報は、欠陥管理情報だけでなく、ディスクの記録状態を示す情報も含む。したがって、ＢＤ−ＷＯでは、これをディスク管理領域（ＤＭＡ）と定義する。
【００２６】
また、ＴＤＭＡは、ディスククローズの前に、ディスク管理情報がアップデートされる領域である。ＴＤＭＡは２種類の領域、すなわちＴＤＭＡ０領域およびＴＤＭＡ１領域に分けられる。ＴＤＭＡ０はリードイン領域内に置かれ、固定サイズの２０４８の物理クラスタを持つ。ＴＤＭＡ１はＯＳＡ内に置かれ、ＯＳＡのサイズに従って変化する可変サイズを持つ。
【００２７】
ＴＤＭＡ０は必要なディスク管理領域と定義することができ、ＴＤＭＡ１は選択的または任意的なディスク管理領域と定義することができる。対応する領域をＴＤＭＡ１に割り当てる時には、ＴＤＭＡ１のサイズを決定することができる。スペア領域の１／４をＴＤＭＡ１に割り当てることが好ましい。したがって、ＴＤＭＡ１のサイズは、Ｐ＝Ｎ＊２５６／４クラスタである。ここで、ＰはＴＤＭＡ１のサイズであり、ＮはＴＤＭＡ１を包含するスペア領域におけるセクタの数である。
【００２８】
また、複数のＴＤＭＡは、予め定められた順序に従って使用される。すなわち、最初にＴＤＭＡ０を使用し、次にＴＤＭＡ１を使用することができる。ＴＤＭＡの識別番号は、ＴＤＭＡの使用順序に基づいて割り当てることができる。
【００２９】
本実施形態において、複数のＴＤＭＡおよびＤＭＡを管理するための管理情報は、ＴＤＭＡ０の先頭部分に追加的に記録することができる。
【００３０】
管理情報は、どのＴＤＭＡが現在使用中かを示す情報を提供する。この情報は、光ディスクが記録再生装置内においてロードされる時にアクセスされる場合がある。よって、最終の欠陥管理情報およびディスク使用状態情報は、初期アクセス時に容易に再生される。その結果、初期アクセスの時間が低減される。さらに、管理情報を用いることによってディスクがクローズされたか否かを確認することが可能である。これについては後で説明する。
【００３１】
本実施形態では、現在使用中のＴＤＭＡへのアクセスに関する情報を、ＴＤＭＡアクセスインジケータ（ＴＡＩ：TDMA Access Indicator）情報と定義することができる。ＴＡＩ情報は、ＴＤＭＡ０の２０４８クラスタの中で最初の２つのクラスタを用いて表現することができる。本実施形態では、この最初の２つのクラスタの領域をＴＡＩ領域と呼ぶ。
【００３２】
図２Ｂは、２つの記録層を持つデュアルレイヤディスクの構造を示す。デュアルレイヤディスクは、第１の記録層であるｌａｙｅｒ０および第２の記録層であるｌａｙｅｒ１を含む。第１の記録層は、外周領域の管理領域としてリードイン領域、データ領域およびアウター領域０（Ｏｕｔｅｒ  Ａｒｅａ  ０）を含む。リードイン領域はインナー領域（Ｉｎｎｅｒ  Ａｒｅａ）と呼ぶことができる。第１の記録層であるｌａｙｅｒ０のデータ領域は、インナースペア（inner spare）領域であるＩＳＡ０、ユーザデータ領域、およびアウタースペア（outer spare）領域であるＯＳＡ０を含む。また、第２の記録層は、外周領域の管理領域としてリードアウト領域、データ領域、およびアウター領域１（Ｏｕｔｅｒ  Ａｒｅａ  １）を含む。第２の記録層のリードアウト領域もインナー領域（Ｉｎｎｅｒ  Ａｒｅａ）と呼ぶことができる。第２の記録層のデータ領域は、インナースペア領域であるＩＳＡ１、ユーザデータ領域、およびアウタースペア領域であるＯＳＡ１を含む。
【００３３】
また、図２Ｂの追記型デュアルレイヤ光ディスクは、多様なディスク管理情報を記録するための領域を提供するために、ディスク管理領域（ＤＭＡ）に加えて複数の一時的ディスク管理領域（ＴＤＭＡ）も含む。図２Ｂでは、一時的ディスク管理領域は、ＴＤＭＡ０、ＴＤＭＡ１、ＴＤＭＡ２、ＴＤＭＡ３、およびＴＤＭＡ４と示される。
【００３４】
インナー領域内のＴＤＭＡ０およびＴＤＭＡ１は、固定サイズの２０４８のクラスタを持つことができ、スペア領域ＯＳＡ０、ＯＳＡ１、ＩＳＡ１内のＴＤＭＡ２、ＴＤＭＡ３、ＴＤＭＡ４は、当該スペア領域のサイズに従って変動する可変サイズを持つことができる。前述したように、ＴＤＭＡ２、ＴＤＭＡ３、ＴＤＭＡ４のそれぞれのサイズは、当該スペア領域の１／４のサイズになる場合がある。したがって、ＴＤＭＡ２およびＴＤＭＡ３のサイズは、Ｐ＝Ｎ＊２５６／４になる場合があり、ＴＤＭＡ４のサイズは、Ｑ＝Ｌ＊２５６／４になる場合がある。ここで、ＰはＴＤＭＡ２およびＴＤＭＡ３のサイズであり、Ｎはスペア領域のセクタの数であり、ＱはＴＤＭＡ４のサイズであり、ＬはＩＳＡ１のセクタの数である。
【００３５】
複数のＴＤＭＡは、予め定められた使用順序に従って使用されることができる。例えば、最初にＴＤＭＡ０を使用し、次にＴＤＭＡ１を使用することができる。すなわち、ＴＤＭＡの識別番号は、ＴＤＭＡの使用順序に基づいて割り当てることができる。
【００３６】
本実施形態のデュアルレイヤディスクにおいて、複数のＴＤＭＡを管理するための管理情報がＴＤＭＡ０の先頭部分に記録される。どのＴＤＭＡが現在使用中であるかに関する情報を提供することは非常に有益である。前述したように、現在使用中のＴＤＭＡを示す情報を提供することによって、最終の欠陥管理情報およびディスク使用状態情報は初期アクセス時に容易に再生される。よって、初期アクセスの時間が低減される。
【００３７】
シングルレイヤディスクと同様に、現在使用中のＴＤＭＡに容易にアクセスし、ディスクがクローズされたか否かを表す情報を、本実施形態のデュアルレイヤディスクにおいてＴＤＭＡアクセスインジケータ（ＴＡＩ）情報と呼ぶ。デュアルレイヤディスクにおいて、ＴＡＩ情報は、ＴＤＭＡ０の２０４８クラスタのうちで最初の５つのクラスタにより提供されることができる。よって、この最初の５つのクラスタの領域をＴＡＩ領域と呼ぶ。
【００３８】
予め定められたＴＤＭＡの使用順序に従って、一時的ディスク管理構造（ＴＤＭＳ：temporary disc management structure）情報がＴＤＭＡ０にて最初にアップデートされる。ＴＤＭＡ０の領域がＴＤＭＳ情報のアップデートにより完全にふさがれている（occupy）場合、ＴＤＭＳ情報はＴＤＭＡ１においてアップデートされる。以下、本明細書において、どのＴＤＭＡが現在使用中であるかを示し、かつディスクがクローズされているか否かを示すＴＡＩ情報を提供する方法およびＴＡＩ情報を記録する方法は、図３Ａおよび図３Ｂを参照して説明される。
【００３９】
図３Ａは、本発明の一実施形態に係るシングルレイヤディスクの場合においてＴＤＭＡアクセスインジケータ（ＴＡＩ）を記録する方法を示す図であり、図３Ｂは、本発明の一実施形態に係るデュアルレイヤディスクの場合においてＴＤＭＡアクセスインジケータ（ＴＡＩ）を記録する方法を示す図である。
【００４０】
図３Ａに示すように、１つの記録層を持つシングルレイヤディスクの場合、ＴＡＩはＴＤＭＡ０内のクラスタのうちで最初の２つのクラスタを使用することによって提供される。すなわち、ＴＡＩは、ディスクがクローズされたか否かを示し、かつどのＴＤＭＡが現在使用中であるかを示すために、２つのクラスタを含む。
【００４１】
その２つのクラスタのうちの１つは、ディスクがクローズされたか否かを示すためのＤＭＡディスククローズインジケータ（DMA disc closing indicator）として使用され、一方、もう１つのクラスタは、ＴＤＭＡ１が現在使用中であるか否かを表すＴＤＭＡ１使用中インジケータ（TDMA1 in use indicator）として使用される。
【００４２】
前述したように、本実施形態のシングルレイヤディスクは、最大２つのＴＤＭＡ（ＴＤＭＡ０およびＴＤＭＡ１）を含む。ＴＡＩ情報は、シングルレイヤディスクのＴＤＭＡを管理するために１つのクラスタを必要とする。ＴＤＭＡ１インジケータクラスタがＴＡＩ内において記録されない場合には、ＴＤＭＡ０が現在使用中であることを表し、ＴＤＭＡ１インジケータクラスタがＴＡＩ内において記録されている場合には、ＴＤＭＡ１が現在使用中であることを表す。
【００４３】
換言すれば、光記録装置が最初にＴＤＭＡ０を使用し、ＴＤＭＡ０がアップデート情報により完全にふさがれている場合には、光記録装置は、ＴＤＭＡ１が現在使用中であることを表すＴＡＩ内のＴＤＭＡ１インジケータを記録する。
【００４４】
例えば、図４Ａに示すように、ＴＡＩ内に記録されたＴＤＭＡ１インジケータがない（未記録）場合、これはＴＤＭＡ０が現在使用中であることを表す。
【００４５】
ＴＡＩのＴＤＭＡ１インジケータを記録することは、対応するクラスタにどのようなデータでも記録することにより行うことができる。意味のないダミーデータがＴＡＩ内の対応するクラスタに記録されることができ、ＴＤＤＳなどの実際のデータが対応するクラスタに記録されることもできる。
【００４６】
本実施形態では、記録再生装置内に含まれる最新のＴＤＤＳが、ダミーデータの代りにＴＤＭＡ１インジケータとしてＴＡＩ内のクラスタの１つに記録される。また、対応するＴＤＭＡの最初のＴＤＤＳがＴＤＭＡ１インジケータとしてＴＡＩ内のクラスタの１つに記録されることもできる。ＴＤＤＳは、１セクタのサイズを有し、ＴＤＭＳの最後のセクタに記録される。
【００４７】
したがって、ＴＤＤＳは、１セクタだけをふさぐため、ＴＡＩ内にＴＤＤＳが記録されるとき、残りの３１セクタはダミーデータによってふさがれる。しかしながら、他の代案として、ＴＤＤＳをＴＡＩ内のクラスタの３２セクタに繰返して記録することにより、ＴＤＤＳの再生のロバスト性（robustness）を増大させることもできる。ＴＤＭＳおよびＴＤＤＳに関する詳細な説明は、後述する。
【００４８】
ＴＤＤＳがＴＡＩのクラスタに繰返して記録される場合には、記録再生装置は、ディスク初期化時においてＴＡＩの記録状態を確認する間にＴＤＤＳを同時に読み出すことが可能である。したがって、記録再生装置は、最新のＴＤＭＳが記録されているＴＤＭＡを迅速に発見することができる。前述したように、ＤＭＡインジケータは、追記型光ディスクがクローズされているか否かを示す。
【００４９】
ディスククローズは、これ以上ディスク内にデータを記録できないことを表すディスクの状態である。追記型光ディスクは、これ以上データを記録可能な領域がディスクにない場合またはホストの要求がある場合に、クローズされる。
【００５０】
追記型光ディスクがクローズされた後、追記型光ディスクは再生専用ディスクになる。すなわち、追記型光ディスクにこれ以上のデータを記録することが許可されない。ディスククローズは、ディスクファイナルライズ（disc finalized）とも呼ばれる。
【００５１】
光ディスクがクローズされる場合、すなわち、光ディスクがファイナルライズされる場合、光記録再生装置は、ＴＤＭＡに記録された最新の管理情報をＤＭＡ領域に移し、ＴＡＩ内のＤＭＡインジケータのクラスタは、ディスクがクローズされたことを表す状態に変更される。
【００５２】
したがって、ＴＡＩは、現在使用中のＴＤＭＡを示す情報として使用されるだけでなく、ディスクがクローズされていることを表す情報としても使用される。
【００５３】
ＤＭＡインジケータのクラスタ内に記録されたデータは、最新のＴＤＤＳ情報またはＤＭＡ内に記録されたＤＤＳ情報である場合がある。これについては後で詳細に説明する。
【００５４】
図３Ｂは、本発明の一実施形態に係る２つの記録層を持つ追記型デュアルレイヤディスクにおけるＴＡＩを記録する方法を示す。
【００５５】
本実施形態において、デュアルレイヤディスクのＴＤＭＡは、前述したように、最大５つのＴＤＭＡ（ＴＤＭＡ０〜ＴＤＭＡ４）を含むことができる。よって、ＴＡＩ情報は、図３Ｂに示すように、５つのＴＤＭＡを管理するために４つのクラスタを必要とする。加えて、ＴＡＩは、ＤＭＡインジケータとして１つのクラスタをさらに含む。
【００５６】
ＴＤＭＡ１インジケータ〜ＴＤＭＡ４インジケータがＴＡＩにおいて記録されていない場合、ＴＡＩは、ＴＤＭＡ０が現在使用中であることを表す。ＴＤＭＡ１インジケータがＴＡＩに記録され、ＴＤＭＡ２インジケータ〜ＴＤＭＡ４インジケータはＴＡＩに記録されない場合には、ＴＡＩは、ＴＤＭＡ１が現在使用中であり、ＴＤＭＡ０が完全にふさがれていることを表す。
【００５７】
同様に、ＴＤＭＡ２インジケータがＴＡＩに記録され、ＴＤＭＡ３インジケータ〜ＴＤＭＡ４インジケータは記録されない場合には、ＴＡＩは、ＴＤＭＡ２が現在使用中であり、（ＴＤＭＡ０のように）ＴＤＭＡ１が完全にふさがれていることを表す。また、ＴＤＭＡ１インジケータは記録されるだろう。また、ＴＤＭＡ３インジケータがＴＡＩに記録され、ＴＤＭＡ４インジケータは記録されない場合には、ＴＡＩは、ＴＤＭＡ３が現在使用中であり、（ＴＤＭＡ１およびＴＤＭＡ０のように）ＴＤＭＡ２が完全にふさがれていることを表す。また、ＴＤＭＡ２およびＴＤＭＡ１インジケータは記録されるだろう。さらに、ＴＤＭＡ４インジケータがＴＡＩに記録されている場合、ＴＡＩは、ＴＤＭＡ４が現在使用中であり、（ＴＤＭＡ２〜ＴＤＭＡ０のように）ＴＤＭＡ３が完全にふさがれていることを表す。また、ＴＤＭＡ１〜ＴＤＭＡ３インジケータは記録されるだろう。
【００５８】
言い方を変えれば、ＴＤＭＡインジケータは、対応するＴＤＭＡが使用中であることを示す。よって、記録されていて、かつ最も大きい番号をつけられているＴＤＭＡに対応するＴＤＭＡインジケータは、現在使用中のＴＤＭＡを示す。このことは最も大きい番号のＴＤＭＡより小さい番号のＴＤＭＡは完全に使用されていることも示す。
【００５９】
例えば、図４Ｂに示すように、ＴＤＭＡ１インジケータおよびＴＤＭＡ２インジケータがＴＡＩの２つのクラスタに記録された場合、これはＴＤＭＡ２が現在使用中であることを表す。ＴＤＭＡインジケータは、クラスタの物理的セクタ番号と逆の順序でＴＡＩのクラスタ内に記録される。すなわち、最も小さい番号をつけられたＴＤＭＡインジケータは、ＴＡＩに割り当てられたクラスタの最も大きい物理的セクタ番号を占有する。クラスタの物理的セクタ番号と逆の順序でＴＤＭＡインジケータを記録することによって、ＴＤＭＡ０に隣接した最適なパワーキャリブレーション（power calibration）との干渉を避けることができる。
【００６０】
追記型光ディスクが光記録再生装置内でロードされる場合、ＴＡＩに基づいて現在使用中のＴＤＭＡの位置を検出することができる。検出されたＴＤＭＡから最近に記録されたＴＤＭＳ情報を読み出すことができる。すなわち、再生のために初期情報を迅速に得ることができる。
【００６１】
ＴＡＩが存在しない場合、光記録再生装置は、複数のＴＤＭＡをＴＤＭＡ０から走査することによって現在使用中のＴＤＭＡを検索する。したがって、光記録再生装置は多くの時間を費やして、現在使用中のＴＤＭＡを検索しようとする。このような問題点はＴＡＩによって解決される。
【００６２】
本実施形態では、現在使用中のＴＤＭＡを示すために、ダミーデータを記録する代わりに、それぞれのＴＤＭＡ１インジケータ〜ＴＤＭＡ４インジケータのクラスタ内にそれぞれの一時的ディスク定義構造（ＴＤＤＳ）情報を記録することができる。したがって、光記録再生装置は、ＴＡＩの記録状態を確認すると同時に、ＴＤＤＳ情報を読み出すことができる。また、光記録再生装置は、最新のＴＤＭＳ情報が記録されたＴＤＭＡ領域を迅速に検索することができる。
【００６３】
一方、デュアルレイヤディスクの場合、ＴＤＭＡ０内の１つのクラスタは、追記型光ディスクのディスククローズ状態を示すＤＭＡインジケータに割り当てられる。例えば、図４Ｃに示すように、ＴＤＭＡ１インジケータ〜ＴＤＭＡ４インジケータを含む全てのＴＤＭＡインジケータがＴＡＩ内に記録された場合、これは追記型光ディスクがクローズされたことを表す。すなわち、これ以上のデータを追記型ディスク内に記録できず、追記型ディスクは再生のみが可能になる。
【００６４】
図５Ａは、本発明の一実施形態に係るＴＤＭＡ内に記録された多様なディスク欠陥管理情報およびディスク使用状態情報を示す図である。図５Ａに示すように、前述した一時的ディスク管理構造（ＴＤＭＳ）情報はＴＡＩ領域を除いたＴＤＭＡ内に記録される。
【００６５】
ＴＤＭＳ情報は、ディスク管理情報である。ＴＤＭＳ情報は、基本記録単位である１クラスタ以上に記録される。また、多様な情報がＴＤＭＳ情報内に含まれることが可能である。ここで、多様な情報は、規格化される追記型ディスクの仕様に従って変更され、または追加的に含まれる場合がある。
【００６６】
例えば、ＴＤＭＳ情報は次のような情報を含む場合がある。まず、ディスク欠陥管理情報は、一時的欠陥リストであるＴＤＦＬおよびディスク使用状態情報を含む。ディスク使用状態情報は、順次記録モード（sequential recording mode）に適用される順次記録範囲情報（ＳＲＲＩ：sequential recording range information）またはランダム記録モード（random recording mode）に適用されるスペースビットマップ（ＳＢＭ：space bitmap）を含む。本実施形態においては、一時的ディスク定義構造（ＴＤＤＳ）が１つまたは複数のクラスタの最後のセクタに記録される。ＴＤＤＳは、ＴＤＦＬなどの最新のバージョンのＴＤＭＳ情報を示す位置情報、ＳＲＲＩ（またはＳＢＭ）、および多様な追加情報を含む。ＴＤＤＳは、一般の記録再生情報を含む領域である。前述したように、最新のバージョンの（つまり、最後にアップデートされた）ＴＤＦＬおよびＳＲＲＩ（またはＳＢＭ）を示すポインタ情報がＴＤＤＳ内に含まれる。ＴＤＤＳは一般的に、ディスクが光記録再生装置内にロードされる場合に、最初に確認される。
【００６７】
ＴＤＤＳ内に含まれた情報は、ディスクの使用状態に従って連続的にアップデートされる。したがって、ＴＤＤＳの情報は、ＴＤＭＡの最後のセクタに記録される。ディスクの現在の使用による多様な管理情報は、最後のＴＤＤＳを読み出すことにより確認可能になる。
【００６８】
図５Ｂは、ＴＤＤＳの詳細な構造を示す。図５Ｂに示すように、ＴＤＤＳは、ＴＤＤＳの特性を示す「ＴＤＤＳ  ｉｄｅｎｔｉｆｉｅｒ」フィールドおよび「ＴＤＤＳ  ｆｏｒｍａｔ」フィールドを含む。また、ＴＤＤＳは、ＴＤＤＳアップデート回数を提供するための「ＴＤＤＳ  Ｕｐｄａｔｅ  Ｃｏｕｎｔ」フィールドと、多様なドライブ情報を記録するために現在使用中のドライブ領域を示すための「ｆｉｒｓｔ  ＰＳＮ  ｏｆ  ｄｒｉｖｅ  ａｒｅａ」フィールドと、ディスクがクローズされる時に欠陥リストの最初の物理的セクタ番号を表す「ｆｉｒｓｔ  ＰＳＮ  ｏｆ  ｄｅｆｅｃｔ  ｌｉｓｔ」フィールドと、ユーザデータ領域の開始および終了を表す「ｌｏｃａｔｉｏｎ  ｏｆ  ＬＳＮ  ０  ｏｆ  ｕｓｅｒ  ｄａｔａ  ａｒｅａ」フィールドおよび「ｌａｓｔ  ＬＳＮ  ｏｆ  ｕｓｅｒ  ｄａｔａ  ａｒｅａ」フィールドと、スペア領域のサイズを表す「ｉｎｎｅｒ  ｓｐａｒｅ  ａｒｅａ  ０  ｓｉｚｅ」フィールドおよび「ｏｕｔｅｒ  ｓｐａｒｅ  ａｒｅａ  ｓｉｚｅ」フィールドと、スペア領域が満杯（full）であるか否かを表す「ｓｐａｒｅ  ａｒｅａ  ｆｕｌｌ  ｆｌａｇｓ」フィールドと、順次またはランダムなどのディスク記録モードを表す「ｒｅｃｏｒｄｉｎｇ  ｍｏｄｅ」フィールドと、ディスクがライトプロテクトされているか否かを表す「ｇｅｎｅｒａｌ  ｆｌａｇ  ｂｉｔｓ」フィールドと、ＴＤＭＳのアップデート状態を表す「Ｉｎｃｏｎｓｉｓｔｅｎｃｙ  ｆｌａｇｓ」フィールドと、ユーザデータ領域内に最終に記録されたデータの位置を示す「Ｌａｓｔ  Ｒｅｃｏｒｄｅｄ  Ａｄｄｒｅｓｓ  ｏｆ  Ｕｓｅｒ  Ｄａｔａ  Ａｒｅａ」フィールドと、スペア領域内に割り当てられたＴＤＭＡのサイズを表す「ｓｉｚｅ  ｏｆ  ＴＤＭＡｓ  ｉｎ  Ｏｕｔｅｒ  Ｓｐａｒｅ  Ａｒｅａ」フィールドおよび「ｓｉｚｅ  ｏｆ  ＴＤＭＡ  ｉｎ  Ｉｎｎｅｒ  Ｓｐａｒｅ  Ａｒｅａ  １」フィールドと、最近のＴＤＭＡ領域で最近の欠陥リストの１番目の物理的セクタ番号を表す「Ｆｉｒｓｔ  ＰＳＮ  ｏｆ  １ｓｔ  Ｃｌｕｓｔｅｒ  ｏｆ  Ｄｅｆｅｃｔ  Ｌｉｓｔ」フィールド〜最近のＴＤＭＡ領域で最近の欠陥リストの８番目の物理的セクタ番号を表す「Ｆｉｒｓｔ  ＰＳＮ  ｏｆ  ８ｔｈ  Ｃｌｕｓｔｅｒ  ｏｆ  Ｄｅｆｅｃｔ  Ｌｉｓｔ」フィールド（欠陥リストの数は、シングルレイヤディスクの場合は最大４つ、デュアルレイヤディスクの場合は最大８つを越えない）と、順次またはランダム記録モードにおいて各モードに従って最終に記録されたＳＲＲＩまたはＳＢＭの位置を表す「ｆｉｒｓｔ  ＰＳＮ  ｏｆ  ＳＲＲＩ／ＳＢＭ  ｆｏｒ  Ｌ０」フィールドおよび「ｆｉｒｓｔ  ＰＳＮ  ｏｆ  ＳＢＭ  ｆｏｒ  Ｌ１」フィールドと、スペア領域において次の使用可能な物理的セクタ番号を表す「ｎｅｘｔ  ａｖａｉｌａｂｌｅ  ＰＳＮ  ｏｆ  ＩＳＡ０」フィールド、「ｎｅｘｔ  ａｖａｉｌａｂｌｅ  ＰＳＮ  ｏｆ  ＯＳＡ０」フィールド、「ｎｅｘｔ  ａｖａｉｌａｂｌｅ  ＰＳＮ  ｏｆ  ＩＳＡ１」フィールド、および「ｎｅｘｔ  ａｖａｉｌａｂｌｅ  ＰＳＮ  ｏｆ  ＯＳＡ１」フィールドと、記録時間を表す「Ｙｅａｒ／Ｍｏｎｔｈ／Ｄａｔｅ  ｏｆ  ｒｅｃｏｒｄｉｎｇ」フィールドと、製造業者、付加的なＩＤおよびシリ��ル番号を表す「Ｄｒｉｖｅ  ＩＤ」フィールドとを含む。
【００６９】
上記のような情報を含むＴＤＤＳ情報は、ＴＤＤＳを形成する対応する情報がアップデートされる度にアップデートされ、最近にアップデートされたＴＤＤＳ情報がディスクの最新状態を表す情報になる。ディスクがクローズされると、ＴＤＤＳ情報のうちで最新のＴＤＤＳがＤＭＡにＤＤＳとして複写される。しかしながら、最新のＴＤＤＳが複写されるときに、「ｆｉｒｓｔ  ＰＳＮ  ｏｆ  ｄｅｆｅｃｔ  ｌｉｓｔ」フィールドの値は、元の値で記録される。
【００７０】
すなわち、ディスクがクローズされる前に記録されたＴＤＤＳにおける「ｆｉｒｓｔ  ＰＳＮ  ｏｆ  ｄｅｆｅｃｔ  ｌｉｓｔ」フィールドの値は「００ｈ」を有する場合がある。しかしながら、ディスクがクローズされた後、「ｆｉｒｓｔ  ＰＳＮ  ｏｆ  ｄｅｆｅｃｔ  ｌｉｓｔ」フィールドには、意味のある情報が割り当てられる。これについては、図７Ｂを参照して詳細に説明する。
【００７１】
図６は、ＴＡＩ領域内のＴＤＭＡインジケータクラスタ内にデータを記録する方法を示す図である。ＴＤＭＡインジケータクラスタは、ＴＡＩ領域内の対応するクラスタ内にダミーデータを記録することによって表現可能である。しかしながら、本実施形態では、ＴＡＩ領域内のＴＤＭＡインジケータは、より多くの情報を提供するためにダミーデータの代わりに、ＴＡＩの対応するクラスタに意味のあるデータを記録することによって表現される。
【００７２】
ＴＡＩ領域内において、各ＴＤＭＡインジケータクラスタは、現在使用中のＴＤＭＡとして関連づけられたＴＤＭＡであるか否かを示す。本実施形態において、対応するＴＤＭＡ内に最初に記録されたＴＤＤＳ情報は、ＴＡＩ領域内の対応するＴＤＭＡインジケータクラスタ内に記録される。
【００７３】
したがって、光記録再生装置がロードされたディスクから対応するＴＡＩ領域を確認する場合、ＴＡＩからどのＴＤＭＡが現在使用中であるかを検出することが可能であると共に、本実施形態のＴＤＤＳに一般的に記録されているスペア領域の割当ておよび割り当てられたスペア領域のサイズなどの多様な情報を読み出すことが可能である。
【００７４】
次いで、光記録再生装置は、対応するＴＤＭＡ領域から最終に記録されたＴＤＤＳを読み出し、最終に記録されたＴＤＤＳから最終に記録されたＴＤＦＬおよび最終に記録されたＳＲＲＩ（またはＳＢＭ）についてのポインタ情報を得ることができる。光記録再生装置は、対応する領域に記録された最終のＴＤＦＬおよびＳＲＲＩ（またはＳＢＭ）を読み出すことにより、全体的なディスクの記録状態および欠陥領域について確認することができる。
【００７５】
図７Ａ〜図８Ｄは、ディスクがクローズされる時、ＤＭＡまたはＴＡＩ情報を記録する多様な方法を示す。シングルレイヤディスクは、本実施形態を説明する一例として使用される。しかしながら、これらの例がデュアルレイヤディスクにも適用可能であることは、この開示内容から当業者にとって明らかであろう。
【００７６】
前述したように、ディスクがクローズされると、ディスクにはこれ以上のデータを記録することができず、当該ディスクは再生専用ディスクになる。したがって、ＴＤＭＡの使用が禁止され、管理情報中の最新のＴＤＭＳ情報はＤＭＡ領域に複写される。ディスクは、ホストにより強制的にクローズされる場合があり、またはユーザデータ領域やＴＤＭＡ領域にデータを記録する領域が残っていないため、自動にクローズされる場合がある。
【００７７】
図７Ａは、ディスクがクローズされた時のディスク構造を示す図である。特に、ＤＭＡ内に記録される管理情報の構造が図７Ａに示される。本実施形態の説明の便宜上、シングルレイヤディスクを例として使用する。
【００７８】
すなわち、ディスクがクローズされると、同じ管理情報がディスク内の４つのＤＭＡ（ＤＭＡ１〜ＤＭＡ４）内に記録される。各ＤＭＡは３２クラスタを含む。ＤＤＳおよびＳＲＲＩ（またはＳＢＭ）は、４つのクラスタ１〜４内に４回繰返して記録される。すなわち、ＤＤＳは、各ＤＭＡ内のクラスタ１の１番目のセクタ内に記録される。また、ディスクがクローズされると、最新のＴＤＤＳ情報は、クラスタ１の１番目のセクタ内に複写される。しかしながら、対応するＤＭＡ内に記録される有効なＤＦＬ（defect list）の位置情報は、ＴＤＤＳ情報のうちの「ｆｉｒｓｔ  ＰＳＮ  ｏｆ  ｄｅｆｅｃｔ  ｌｉｓｔ」フィールド内に記録される。
【００７９】
図７Ｂに示すように、基本的に、ＤＤＳは、「ｆｉｒｓｔ  ＰＳＮ  ｏｆ  ｄｅｆｅｃｔ  ｌｉｓｔ」フィールド内の値を除いては、ＴＤＤＳの構造と同様である。これは、「ｆｉｒｓｔ  ＰＳＮ  ｏｆ  ｄｅｆｅｃｔ  ｌｉｓｔ」フィールドは、各ＤＭＡ１、ＤＭＡ２、ＤＭＡ３およびＤＭＡ４内のＤＦＬの最初の位置を示すからである。
【００８０】
したがって、「ｆｉｒｓｔ  ＰＳＮ  ｏｆ  ｄｅｆｅｃｔ  ｌｉｓｔ」フィールドの値は、図５Ｂに示すようなＴＤＤＳの構造において「００ｈ」になり、ＤＭＡ１、ＤＭＡ２、ＤＭＡ３、およびＤＭＡ４内の「ｆｉｒｓｔ  ＰＳＮ  ｏｆ  ｄｅｆｅｃｔ  ｌｉｓｔ」フィールドの値は、互いに異なる固有の位置の値を有する。
【００８１】
各ＴＤＭＡ内に記録された最新のＳＲＲＩ（またはＳＢＭ）およびＴＤＦＬ情報は、ＤＭＡのＳＲＲＩ（またはＳＢＭ）およびＤＦＬとしてＤＭＡに複写される。特に、ＤＦＬが記録される領域は、クラスタ全体またはクラスタ５〜クラスタ３２の２８クラスタを含む。４つのクラスタが１つのグループとして集められ、同じＤＦＬ情報が７回記録される。また、システムによっては、クラスタ５〜８にＤＦＬを記録し、クラスタ９〜３２にダミーデータを繰返して記録することもできる。
【００８２】
図８Ａおよび図８Ｂは、本発明の第１の実施形態に係るディスクがクローズされる時のＤＭＡおよびＴＡＩを記録する方法を示す図である。
【００８３】
ディスクがクローズされると、ＴＡＩ内のＤＭＡインジケータクラスタの状態は、ディスクがクローズ状態であることを表すために記録されることによって変更される。ＤＭＡインジケータクラスタ内にはダミーデータを記録することができる。しかしながら、本実施形態では、ディスクがクローズされたことを表すためばかりでなく、意味のあるデータを伝達するためにも意味のあるデータがＤＭＡインジケータクラスタに記録される。また、ディスクがクローズされると、図７Ａに示すようなデータ構造を持つ管理情報が各ＤＭＡ内に記録される。
【００８４】
図８Ａに示すように、本実施形態によれば、最新のＴＤＤＳ情報は、ＴＡＩ内のＤＭＡインジケータクラスタに記録されることもできる。すなわち、ディスクをクローズするために、最新のＴＤＤＳ情報がＴＡＩ内のＤＭＡインジケータクラスタに記録され、同じＤＤＳ／ＳＲＲＩ（またはＳＢＭ）／ＤＦＬが４つのＤＭＡに記録される。ＤＤＳ情報のうち、「ｆｉｒｓｔ  ＰＳＮ  ｏｆ  ｄｅｆｅｃｔ  ｌｉｓｔ」フィールドのみがＴＤＤＳと互いに異なる値を有する。「ｆｉｒｓｔ  ＰＳＮ  ｏｆ  ｄｅｆｅｃｔ  ｌｉｓｔ」フィールドの４つの異なる値を示すために、ＤＤＳ１〜ＤＤＳ４を図８Ａに示す。
【００８５】
図８Ｂは、図８ＡによりＤＭＡインジケータクラスタ内に記録される情報を示す。ＤＭＡインジケータクラスタ内に記録される最新のＴＤＤＳ情報は、１つのセクタ内に記録することができ、ＤＭＡインジケータクラスタは３２セクタを含む。よって、最新のＴＤＤＳは、ＤＭＡインジケータクラスタの３２セクタ内に繰返して記録することもできる。しかしながら、システムによっては、最新のＴＤＤＳは１つのセクタのみに記録され、ダミーデータが残りのセクタに記録される場合がある。あるいは、最新のＴＤＤＳを予め定められたセクタ内に繰返して記録することもできる。
【００８６】
したがって、クローズされたディスクが光記録再生装置内にロードされると、光記録再生装置は、ＤＭＡインジケータクラスタが記録されているか否かを確認して、ディスクがクローズされているか否かを判定する。同時に、光記録再生装置は、ＴＡＩ内のＤＭＡインジケータクラスタ内に記録された最新のＴＤＤＳ情報から使用可能な情報を得る。以後、光記録再生装置は、最終のディスクの欠陥リスト（ＤＦＬ）および記録状態情報であるＳＲＲＩまたはＳＢＭを、ＤＭＡ領域内に記録されたデータを読み出すことによって確認する。
【００８７】
図８Ｃおよび図８Ｄは、本発明の第２の実施形態に係るディスクがクローズされる時のＤＭＡおよびＴＡＩを記録する方法を示す図である。特に、本発明の第２の実施形態において、ＤＤＳ情報はＴＡＩ内のＤＭＡインジケータクラスタ内に記録される。
【００８８】
ディスククローズを実行するために、同じＤＤＳ／ＳＲＲＩ（またはＳＢＭ）／ＤＦＬが４つのＤＭＡ領域内に記録される。「ｆｉｒｓｔ  ＰＳＮ  ｏｆ  ｄｅｆｅｃｔ  ｌｉｓｔ」フィールドのみがＤＤＳ情報のうちで互いに異なる値を有する。説明の便宜上、それらをＤＤＳ１〜ＤＤＳ４として示す。
ＤＤＳ情報の１つは、対応するクラスタの記録状態を変更するために、ＴＡＩ内のＤＭＡインジケータクラスタ内に記録される。記録されたＤＤＳ情報は、ＤＤＳ１〜ＤＤＳ４のいずれか１つになる場合があり、またはＤＤＳ１がデフォルトとして記録される。
【００８９】
図８Ｄは、図８ＣによりＤＭＡインジケータクラスタ内に記録された情報を示す。ＤＭＡインジケータクラスタ内に記録されたＤＤＳ情報は、１つのセクタ内に記録されることができる。ＤＭＡインジケータクラスタは３２セクタを含む。よって、ＤＤＳ情報は、図８Ｄに示すように、ＤＭＡインジケータクラスタの３２セクタに繰返して記録されることも可能である。しかしながら、システムによっては、ＤＤＳ情報は１つのセクタに記録され、ダミーデータが残り３１セクタに繰返して記録される場合がある。あるいは、ＤＤＳ情報がＤＭＡインジケータクラスタ内の選択されたセクタに繰返して記録される場合もある。
【００９０】
したがって、クローズされたディスクが光記録再生装置内にロードされると、光記録再生装置は、ＤＭＡインジケータクラスタが記録されているか否かを確認して、ディスクがクローズされているか否かを判定する。同時に、光記録再生装置は、ＴＡＩ内のＤＭＡインジケータクラスタ内に記録された最終のＤＤＳ情報から使用可能な情報を得る。光記録再生装置は、最終のディスクの欠陥リスト（ＤＦＬ）および記録状態情報であるＳＲＲＩまたはＳＢＭを、ＤＭＡ領域内に記録されたデータを読み出すことによって確認する。
【００９１】
ディスクがクローズされる時、ＴＡＩ内のＤＭＡインジケータクラスタ内に記録される情報の種類は、ＤＭＡインジケータクラスタ内に記録された情報を効率良く使用するための光記録再生装置間の互換性のために、図８Ａ〜図８Ｄに示すような実施形態の１つに規格化される場合がある。
【００９２】
図９は、本発明の一実施形態に係る光記録再生装置を説明するブロック図である。図９に示すように、光記録再生装置は、ディスクにデータを記録し、かつ記録されたデータを再生する記録再生部１０と、記録再生部１０を制御する制御部（またはホスト）２０とを含む。
【００９３】
制御部２０は、予め定められた領域上にデータ記録する命令または記録されたデータを再生する命令を転送する。記録再生部１０は、制御部２０から転送された命令に基づいて、予め定められた領域にデータを記録し、かつ記録されたデータを再生する。一般的に、記録再生部１０は「光ドライブ」と呼ばれる。
【００９４】
記録再生部１０は、外部装置と通信を行うインターフェース部１２と、光ディスクにデータを記録または再生するピックアップ部１１と、ピックアップ部１１から再生信号を受信して、受信した再生信号を所望の信号値に変換し、または光ディスクに記録された信号を変調して、ピックアップ部１１に変調された信号を転送するデータプロセッサ１３と、光ディスクに正確に信号を記録するためにピックアップ部１１を制御するサーボ部１４と、多様な情報およびデータを一時的に格納するためのメモリ１５と、記録再生部１０内の上述した構成要素を制御するマイクロコンピュータ１６と、を含む。
【００９５】
以下、本発明の一実施形態に係る光記録再生装置においてＴＡＩ情報を記録し再生する方法およびディスクをクローズする方法について、詳細に説明する。ディスクが光記録再生装置においてロードされると、光記録再生装置は、ロードされたディスクのＴＡＩの記録状態を確認して、ロードされたディスクがクローズされているか否かを判定し、かつ現在使用中のＴＤＭＡの位置を検出する。
【００９６】
ディスクがまだクローズされていない場合、マイクロコンピュータ１６は、ＴＡＩ情報から現在使用中のＴＤＭＡを得て、現在使用中のＴＤＭＡ内の最新のＴＤＭＳ情報を読み出し、最新のＴＤＭＳ情報からディスク記録状態および欠陥情報を読み出す。また、マイクロコンピュータ１６は、ロードされたディスクがクローズされていないことを制御部２０に通知する。データを記録し、または再生するための命令が制御部２０から入力されると、記録再生部１０は、所望の領域でデータを記録し、またはデータを再生する。
【００９７】
記録を実行する際、マイクロコンピュータ１６は、周知の方法に基づいてＴＤＭＡ領域内のＴＤＭＳをアップデートする。予め定められたＴＤＭＡ（ｋ）がアップデートによって完全にふさがると、マイクロコンピュータ１６は、ＴＤＭＳをアップデートするために、次のＴＤＭＡ（ｋ＋１）を使用する。ＴＤＭＳが当該ＴＤＭＡ（ｋ＋１）において最初にアップデートされる場合、ＴＤＭＡ（ｋ＋１）に記録された最初のＴＤＤＳ情報は、ＴＡＩ領域内のＴＤＭＡ（ｋ＋１）インジケータクラスタ内に記録される。
【００９８】
ディスクがクローズされると、図８Ａまたは図８Ｃに示す方法の１つに基づいて、ＴＡＩ内のＤＭＡインジケータクラスタおよびＤＭＡ領域に予め定められた情報が記録されるが、図８Ａまたは図８Ｃに示す方法の何れか一つを選択することは、ロードされたディスクがクローズされていることを表すための規格方式によって決定される。
【００９９】
ロードされたディスクが既にクローズされているディスクであれば、マイクロコンピュータ１６は、ＴＡＩ内のＤＭＡインジケータクラスタおよびＤＭＡ領域に記録された情報から、最終の記録状態および欠陥情報を読み出す。以後、マイクロコンピュータ１６は、ロードされたディスクがクローズされたディスクであることを制御部２０に通知し、制御部２０の制御に従ってデータの再生を実行する。
【０１００】
以下、本発明の一実施形態に係るディスクの管理情報を記録する方法を、図１０〜図１２を参照して説明する。
【０１０１】
図１０〜図１２は、本発明の一実施形態に係るディスクの管理情報を記録する方法を説明するフローチャートである。
【０１０２】
図１０に示されるように、ステップＳ１０でディスクをクローズする前にディスクに記録されたデータに従って、ＴＤＭＡ内にＴＤＭＳが記録される。ステップＳ２０で、ＴＤＭＡインジケータクラスタの記録状態は、複数のＴＤＭＡのうちで現在使用中のＴＤＭＡの位置を表すために変更される。ディスクがクローズされると、ステップＳ４０で、ディスクがクローズされたことを示すクラスタの記録状態は変更され、ステップＳ５０で、ＴＤＭＡ内に記録された最新のＴＤＭＳはＤＭＡ内に記録される。
【０１０３】
図１１に示されるように、ステップＳ４０で、最新のＴＤＤＳは、ディスクがクローズされたことを示すクラスタ内に記録されることができ、また、ステップＳ５０で、最新のＴＤＤＳは、ＤＤＳ情報として複数のＤＭＡに記録されることができる。
【０１０４】
また、図１２に示されるように、ステップＳ４０で、ディスクがクローズしている間、最新のＴＤＤＳは、複数のＤＭＡに記録されることができ、また、ステップＳ５０で、ＤＤＳ情報は、ディスクがクローズされたことを示すクラスタ内に記録される。
【０１０５】
本発明は限られた数の実施形態に関して開示されたが、この開示から利益を受ける当業者は、多数の修正および変形を認識するだろう。例えば、いくつかの例における追記型ブルーレイ光ディスクに関して説明したが、本発明は、この規格の追記型光ディスクまたは複数の追記型光ディスクに制限されない。代わりに、本発明の実施形態は、他の追記型記録媒体にも適用可能である。したがって、このような全ての修正および変形は、本発明の要旨および範囲内に含まれる。
【図面の簡単な説明】
【０１０６】
【図１】従来技術に係る書換可能なブルーレイディスク（ＢＤ−ＲＥ）の記録領域の構造を説明する図である。
【図２Ａ】本発明の一実施形態に係る追記型光ディスクの構造および管理情報を記録する方法を説明する図である。
【図２Ｂ】本発明の一実施形態に係る追記型光ディスクの構造および管理情報を記録する方法を説明する図である。
【図３Ａ】本発明の一実施形態に係るＴＤＭＡおよびＤＭＡが使用されているか否かを示すＴＡＩについての方法を説明する図である。
【図３Ｂ】本発明の一実施形態に係るＴＤＭＡおよびＤＭＡが使用されているか否かを示すＴＡＩについての方法を説明する図である。
【図４Ａ】本発明の一実施形態に係るＴＤＭＡおよびＤＭＡが使用されているか否かを示すＴＡＩについての方法を説明する図である。
【図４Ｂ】本発明の一実施形態に係るＴＤＭＡおよびＤＭＡが使用されているか否かを示すＴＡＩについての方法を説明する図である。
【図４Ｃ】本発明の一実施形態に係るＴＤＭＡおよびＤＭＡが使用されているか否かを示すＴＡＩについての方法を説明する図である。
【図５Ａ】本発明の一実施形態に係るＴＤＭＡに記録される多様なディスク欠陥管理情報およびディスク使用状態を表す一時的ディスク管理構造（ＴＤＭＳ）情報を説明する図である。
【図５Ｂ】本発明の一実施形態に係るＴＤＭＳのうちのＴＤＤＳの構造を説明する図である。
【図６】本発明の一実施形態に係るＴＡＩ内のＴＤＤＳを記録する方法を説明する図である。
【図７Ａ】本発明の一実施形態に係るディスククローズ時のＤＭＡに記録される管理情報の構造を説明する図である。
【図７Ｂ】本発明の一実施形態に係るディスククローズ時のＤＭＡに記録される管理情報の構造を説明する図である。
【図８Ａ】本発明の一実施形態に係るディスククローズ時のＴＡＩおよびＤＭＡに記録される管理情報を説明する図である。
【図８Ｂ】本発明の一実施形態に係るディスククローズ時のＴＡＩおよびＤＭＡに記録される管理情報を説明する図である。
【図８Ｃ】本発明の一実施形態に係るディスククローズ時のＴＡＩおよびＤＭＡに記録される管理情報を説明する図である。
【図８Ｄ】本発明の一実施形態に係るディスククローズ時のＴＡＩおよびＤＭＡに記録される管理情報を説明する図である。
【図９】本発明の一実施形態に係る光ディスク記録再生装置を説明する図である。
【図１０】本発明の一実施形態に係る追記型光ディスクの管理情報を記録する方法を説明する図である。
【図１１】本発明の一実施形態に係る追記型光ディスクの管理情報を記録する方法を説明する図である。
【図１２】本発明の一実施形態に係る追記型光ディスクの管理情報を記録する方法を説明する図である。
【図１】
2008502093.tif 000003
【図２Ａ】
2008502093.tif 000004
【図２Ｂ】
2008502093.tif 000005
【図３Ａ】
2008502093.tif 000006
【図３Ｂ】
2008502093.tif 000007
【図４Ａ】
2008502093.tif 000008
【図４Ｂ】
2008502093.tif 000009
【図４Ｃ】
2008502093.tif 000010
【図５Ａ】
2008502093.tif 000011
【図５Ｂ】
2008502093.tif 000012
【図６】
2008502093.tif 000013
【図７Ａ】
2008502093.tif 000014
【図７Ｂ】
2008502093.tif 000015
【図８Ａ】
2008502093.tif 000016
【図８Ｂ】
2008502093.tif 000017
【図８Ｃ】
2008502093.tif 000018
【図８Ｄ】
2008502093.tif 000019
【図９】
2008502093.tif 000020
【図１０】
2008502093.tif 000021
【図１１】
2008502093.tif 000022
【図１２】
2008502093.tif 000023
【国際調査報告】
2008502093.tif 000024
2008502093.tif 000025
2008502093.tif 000026